(57)【要約】  効率的に作業できるように、予定表示できる情報処理装置を提供することを目的とする。  情報処理装置が、表示画面の外縁に位置し、外縁に沿って細い幅を持った外縁表示領域の中で、予定を示唆する予定表示領域１１１の表示位置を決定する位置決定部と、位置決定部により決定された位置に、予定表示領域１１１を表示する予定表示部とを有する。好適には、位置決定部は、外縁表示領域の上端、下端、左端、及び、右端のうち、少なくとも一端の全部又は一部（予定管理アプリケーション表示領域１０５）の端から端までを２４時間として、予定の時間に応じて、予定を示唆する予定表示領域１１１の表示位置を決定する。
2016125831.tif 000002
【特許請求の範囲】
【請求項１】
表示画面の外縁に位置し、外縁に沿って細い幅を持った外縁表示領域の中で、予定を示唆する画像要素の表示位置を決定する位置決定部と、
前記位置決定部により決定された位置に、予定を示唆する画像要素を表示する予定表示部と
を有する
情報処理装置。
【請求項２】
前記位置決定部は、外縁表示領域の上端、下端、左端、及び、右端のうち、少なくとも一端の全部又は一部の端から端までを２４時間として、予定の時間に応じて、予定を示唆する画像要素の表示位置を決定する
請求項１に記載の情報処理装置。
【請求項３】
前記予定表示部は、画像要素として細長い長方形を用い、細長い長方形により予定があることを表示する
請求項２に記載の情報処理装置。
【請求項４】
予定の時間に応じて変わる細長い長方形の長辺の長さを決定する長さ決定部
をさらに有し、
前記予定表示部は、前記長さ決定部により決定された長方形の長辺の長さに応じた、細長い長方形により予定があることを表示する
請求項３に記載の情報処理装置。
【請求項５】
前記長さ決定部は、細長い長方形の短辺の長さを２０ピクセル以下に決定し、
前記予定表示部は、前記長さ決定部により決定された長方形の短辺の長さに応じた、細長い長方形により予定があることを表示する
請求項３に記載の情報処理装置。
【請求項６】
現在時刻を表示する画像要素であるガイドを、表示する現在時刻表示部
をさらに有し、
前記位置決定部は、外縁表示領域の上端、下端、左端、及び、右端のうち、少なくとも一端の全部又は一部の端から端までを２４時間として、予定の時間に応じて、ガイドの表示位置を決定する
請求項２に記載の情報処理装置。
【請求項７】
予定の内容に応じて、かつ、外縁表示領域と異なる色から、予定を示唆する画像要素の色を決定する色決定部
をさらに有し、
前記予定表示部は、前記色決定部により決定された色で、予定を示唆する画像要素を表示する
請求項１に記載の情報処理装置。
【請求項８】
予定を示唆する画像要素、又は、時刻を表示するガイドがマウスオーバーされたことを検知する検知部と、
前記検知部により検知された予定を示唆する画像要素、又は、時刻を表示するガイドの詳細をポップアップ表示する詳細表示部と
をさらに有する
請求項６に記載の情報処理装置。
【請求項９】
表示画面の外縁に位置し、外縁に沿って細い幅を持った外縁表示領域の中で、予定を示唆する画像要素の表示位置を決定する位置決定ステップと、
決定された位置に、予定を示唆する画像要素を表示する予定表示ステップと
を有する情報処理方法。
【請求項１０】
表示画面の外縁に位置し、外縁に沿って細い幅を持った外縁表示領域の中で、予定を示唆する画像要素の表示位置を決定する位置決定ステップと、
決定された位置に、予定を示唆する画像要素を表示する予定表示ステップと
をコンピュータに実行させるプログラム。
【発明の詳細な説明】
【技術分野】
【０００１】
本発明は、情報処理装置、情報処理方法、及び、プログラムに関する。
【背景技術】
【０００２】
例えば、特許文献１には、デジタル装置上の媒体ファイルにアクセスするためのアプリケーションであって、コンピュータ読み取り可能なプログラム命令が実施されるコンピュータ読み取り可能な記憶媒体を備えたアプリケーションにおいて、前記コンピュータ読み取り可能なプログラム命令は、少なくとも１つのデジタル媒体ファイルへのアクセスを与え且つ前記少なくとも１つのデジタル媒体ファイルを時間周期に関連付ける媒体ビューを発生するための第１命令と、前記媒体ビューとの組合せでプレゼンテーションされるタイムラインビューであって、該タイムラインに定義される時間周期に基づいて前記少なくとも１つのデジタル媒体ファイルへのアクセスを与えるようなタイムラインビューを発生する第２命令と、を備えたものであるアプリケーションが開示されている。
また、特許文献２には、複数のセクションへと区切られており、それぞれのセクションは、通常モードナビゲーションペイン内にそれまで表示されていて通常モードナビゲーションペインから選択することができるデータや機能を提供するための１つまたは複数の選択可能なコントロールを含む。その他のセクションは、通常は通常モードペイン内に投入されているコントロールの有用なサブセットを表す選択可能なコントロールを含むことができるナローモードナビゲーションペインが開示されている。
【先行技術文献】
【特許文献】
【０００３】
【特許文献１】特開２００９−２１１７１７号公報
【特許文献２】特開２０１２−２５６３２８号公報
【発明の概要】
【発明が解決しようとする課題】
【０００４】
効率的に作業できるように、予定表示できる情報処理装置を提供することを目的とする。
【課題を解決するための手段】
【０００５】
本発明に係る情報処理装置は、表示画面の外縁に位置し、外縁に沿って細い幅を持った外縁表示領域の中で、予定を示唆する画像要素の表示位置を決定する位置決定部と、前記位置決定部により決定された位置に、予定を示唆する画像要素を表示する予定表示部とを有する。【０００６】
好適には、前記位置決定部は、外縁表示領域の上端、下端、左端、及び、右端のうち、少なくとも一端の全部又は一部の端から端までを２４時間として、予定の時間に応じて、予定を示唆する画像要素の表示位置を決定する。【０００７】
好適には、前記予定表示部は、画像要素として細長い長方形を用い、細長い長方形により予定があることを表示する。【０００８】
好適には、予定の時間に応じて変わる細長い長方形の長辺の長さを決定する長さ決定部をさらに有し、前記予定表示部は、前記長さ決定部により決定された長方形の長辺の長さに応じた、細長い長方形により予定があることを表示する。【０００９】
好適には、前記長さ決定部は、細長い長方形の短辺の長さを１０ピクセル以下に決定し、前記予定表示部は、前記長さ決定部により決定された長方形の短辺の長さに応じた、細長い長方形により予定があることを表示する。【００１０】
現在時刻を表示する画像要素であるガイドを、表示する現在時刻表示部をさらに有し、前記位置決定部は、外縁表示領域の上端、下端、左端、及び、右端のうち、少なくとも一端の全部又は一部の端から端までを２４時間として、予定の時間に応じて、ガイドの表示位置を決定する。【００１１】
好適には、予定の内容に応じて、かつ、外縁表示領域と異なる色から、予定を示唆する画像要素の色を決定する色決定部をさらに有し、前記予定表示部は、前記色決定部により決定された色で、予定を示唆する画像要素を表示する。【００１２】
好適には、予定を示唆する画像要素、又は、時刻を表示するガイドがマウスオーバーされたことを検知する検知部と、前記検知部により検知された予定を示唆する画像要素、又は、時刻を表示するガイドの詳細をポップアップ表示する詳細表示部とをさらに有する。【００１３】
本発明に係る情報処理方法は、表示画面の外縁に位置し、外縁に沿って細い幅を持った外縁表示領域の中で、予定を示唆する画像要素の表示位置を決定する位置決定ステップと、決定された位置に、予定を示唆する画像要素を表示する予定表示ステップとを有する。【００１４】
本発明に係るプログラムは、表示画面の外縁に位置し、外縁に沿って細い幅を持った外縁表示領域の中で、予定を示唆する画像要素の表示位置を決定する位置決定ステップと、決定された位置に、予定を示唆する画像要素を表示する予定表示ステップとをコンピュータに実行させる。
【発明の効果】
【００１５】
効率的に作業できるように、予定表示できる情報処理装置を提供することができる。
【図面の簡単な説明】
【００１６】
【図１】予定表示システム１のハードウェア構成を例示する図である。
【図２】予定表示端末３のハードウェア構成を例示する図である。
【図３】予定表示端末３の機能ブロックを例示する図である。
【図４】従来技術における予定管理アプリケーションの起動を模式的に説明する図である。
【図５】従来技術における予定表示を模式的に説明する図である。
【図６】本実施形態における予定表示を模式的に説明する図である。
【図７】本実施形態における他ウィンドウ表示中の予定表示を模式的に説明する図である。
【図８】本実施形態におけるポップアップ表示を模式的に説明する図である。
【図９】本実施形態における他ウィンドウ表示中のポップアップ表示を模式的に説明する図である。
【図１０】本実施形態における予定管理アプリケーション表示領域を模式的に説明する図である。
【図１１】予定表示処理（Ｓ５０）を説明するフローチャートである。
【図１２】時刻表示処理（Ｓ６０）を説明するフローチャートである。
【発明を実施するための形態】
【００１７】
以下、本発明の実施形態を、図面を参照して説明する。
図１は、予定表示システム１のハードウェア構成を例示する図である。
図１に例示するように、予定表示システム１は、予定表示端末３Ａ〜Ｃと、予定管理サーバ４とを含む。
予定表示端末３は、本発明に係る情報処理装置の一例であり、画面に予定等を表示する。例えば、予定表示端末３は、予定を示唆する画像要素（予定画像要素）を表示する。また、予定表示端末３は、例えば、パーソナルコンピュータ、テレビ、スマートフォン、タブレット端末、又は、ウェアラブルデバイスなどである。また、予定表示端末３は、ネットワークを介して予定管理サーバ４に接続している。
予定管理サーバ４は、コンピュータ端末であり、サーバ機能を有する。予定管理サーバ４は、インターネット、ＬＡＮ、又はＷＡＮなどのネットワークを介して予定表示端末３と接続しており、予定を管理する。例えば、予定管理サーバ４により管理された予定に基づき、予定表示端末３は、予定画像要素を表示する。本例において、グーグルカレンダー、又は、他カレンダーアプリケーション等により管理された予定に基づき、予定表示端末３は、予定画像要素を表示する。なお、予定表示端末３自身が予定を管理してもよく、その場合、予定表示端末３は、自身で管理している予定に基づき、予定画像要素を表示する。
【００１８】
図２は、予定表示端末３のハードウェア構成を例示する図である。
図２に例示するように、予定表示端末３は、ＣＰＵ３００、メモリ３０２、Ｈａｒｄ  Ｄｉｓｋ  Ｄｒｉｖｅ３０４（ＨＤＤ３０４）、ネットワークインタフェース３０６（ネットワークＩＦ３０６）、表示装置３０８、及び入力装置３１０を有し、これらの構成はバス３１２を介して互いに接続している。
ＣＰＵ３００は、例えば、中央演算装置である。
メモリ３０２は、例えば、揮発性メモリであり、主記憶装置として機能する。
ＨＤＤ３０４は、例えば、ハードディスクドライブ装置であり、不揮発性の記録装置としてコンピュータプログラムやその他のデータファイルを格納する。
ネットワークＩＦ３０６は、有線又は無線で通信するためのインタフェースであり、インターネットを介した予定表示端末３との通信を実現する。
表示装置３０８は、例えば、液晶ディスプレイである。
入力装置３１０は、例えば、キーボード及びマウスである。
【００１９】
図３は、予定表示端末３の機能ブロックを例示する図である。
図３に例示するように、本例の予定表示端末３には、予定表示プログラム３５０がインストールされている。
予定表示プログラム３５０は、入力受付部３５２、予定取得部３５４、及び、表示部３５６を有する。
なお、予定表示プログラム３５０の一部又は全部は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハードウェアにより実現されてもよく、また、ＯＳ（Ｏｐｅｒａｔｉｎｇ  Ｓｙｓｔｅｍ）の機能を一部借用して実現されてもよい。
【００２０】
予定表示プログラム３５０において、入力受付部３５２は、ユーザからの予定情報の入力を受け付ける。ここで、予定情報とは、予定の内容、時間、色や文字等による分類、及び、重要度等を表わす情報をいう。予定表示プログラム３５０は、例えば、入力受付部３５２により受け付けられた予定情報を、予定管理サーバ４に送信する。予定管理サーバ４は、送信された予定情報を管理する。なお、予定表示プログラム３５０が、予定情報を管理してもよい。
【００２１】
予定取得部３５４は、予定管理サーバ４から、予定情報を取得する。予定表示プログラム３５０が予定情報を管理している場合、予定取得部３５４は、予定表示端末３から予定情報を取得する。
【００２２】
表示部３５６は、予定取得部３５４から取得した予定情報に基づき、表示装置３０８に、予定等を表示する。例えば、表示部３５６は、表示画面に、予定画像要素を表示する。本例において、表示部３５６は、予定画像要素として、細長い長方形（長方形）により予定があることを表示する。また、表示部３５６は、位置決定部３５８、長さ決定部３６０、色決定部３６２、ピクセル予定表示部３６４、現在時刻表示部３６６、ポインタ検知部３６８、及び、詳細表示部３７０を有する。
【００２３】
位置決定部３５８は、表示画面において、予定画像要素の表示位置を決定する。例えば、位置決定部３５８は、表示画面の外縁に位置し、外縁に沿って細い幅を持った外縁表示領域の中で、予定画像要素の表示位置を決定する。ここで、外縁とは、表示部３５６が、表示可能な領域の一番外側をいう。また、位置決定部３５８は、外縁表示領域の上端、下端、左端、及び、右端のうち、少なくとも一端の全部又は一部の端から端までを２４時間として、予定の時間に応じて、予定画像要素の表示位置を決定する。本例において、位置決定部３５８は、外縁表示領域の左端の全部に、予定画像要素を表示する形態を具体例として説明する。このとき、例えば、外縁表示領域の左端における上端から下端までの縦幅が、２４時間に相当する。本例において、午前１０時から予定がある場合、位置決定部３５８は、左端における上端から見て、上端から下端までの縦幅に１０／２４を掛けた位置に、長方形の表示位置を決定する。ここで、縦幅に１０／２４を掛けた位置が、予定の開始位置となる。
なお、本例において、位置決定部３５８が、外縁表示領域の左端の一部に予定画像要素を表示することと比較して、外縁表示領域の左端の全部に予定画像要素を表示することにより、利用者は、より直感的に予定があることを認識できる。
【００２４】
長さ決定部３６０は、予定の時間に応じて変わる長方形の長辺の長さを決定する。例えば、位置決定部３５８により、外縁表示領域の左端における上端から下端を２４時間として、予定画像要素が表示される場合、長さ決定部３６０は、端から端までが２４時間であることを考慮して、予定を表わす長方形の長辺の長さを決定する。例えば、予定時間が２時間の場合、長さ決定部３６０は、長方形の長辺の長さを、上端から下端の縦幅に２／２４を掛けた長さに決定する。
また、長さ決定部３６０は、長方形の短辺の長さを１０ピクセル以下に決定する。本例において、長さ決定部３６０は、利用者による短辺の長さの選択に基づき、長方形の短辺の長さを、２ピクセル以上２０ピクセル以下の範囲内で、決定する。
【００２５】
色決定部３６２は、予定の内容に応じて、かつ、外縁表示領域と異なる色から、予定画像要素の色を決定する。例えば、色決定部３６２は、予定取得部３５４が取得した予定情報に含まれる色による分類に基づき、予定画像要素の色を決定する。また、色決定部３６２は、予定情報に含まれる重要度等に応じて、色を決定してもよい。なお、色決定部３６２は、予定画像要素と外縁表示領域が区別可能ならば、外縁表示領域と同色の色を使用してもよい。例えば、予定画像要素の外枠の色が、外縁表示領域と異なる色である場合、色決定部３６２は、予定画像要素の内部に外縁表示領域と同色の色を使用してもよい。
【００２６】
ピクセル予定表示部３６４は、表示装置３０８に、予定画像要素を表示する。例えば、ピクセル予定表示部３６４は、長方形により予定があることを表示する。また、ピクセル予定表示部３６４は、位置決定部３５８により決定された位置に、長方形を表示する。また、ピクセル予定表示部３６４は、長さ決定部３６０により決定された長辺及び短辺の長さを有する長方形を表示する。さらに、ピクセル予定表示部３６４は、色決定部３６２により決定された色の長方形を表示する。
【００２７】
現在時刻表示部３６６は、表示画面の端に、現在時刻を表わし、かつ、現在時刻に応じて移動するガイドを表示する。ここで、ガイドとは、例えば、三角形のマークや、長方形（ライン）等の画像要素である。本例において、表示画面の左端に、現在時刻表示部３６６は、位置決定部３５８により決定される、外縁表示領域の左端の端から端までを２４時間としたとき、その時間に応じた位置に、現在時刻に応じて移動するガイドを表示する。また、現在時刻表示部３６６は、ピクセル予定表示部３６４により予定画像要素が表示されるのと同時に、ガイドを表示する。
【００２８】
ポインタ検知部３６８は、ピクセル予定表示部３６４により表示された予定画像要素、又は、現在時刻表示部３６６により表示された現在時刻を表示するガイドがマウスオーバーされたことを検知する。ここで、マウスオーバーとは、マウス等により表示されるポインタが、予定画像要素、又は、ガイドに重なることをいう。
【００２９】
詳細表示部３７０は、ポインタ検知部３６８により、予定画像要素、又は、現在時刻を表示するガイドがマウスオーバーされたことを検知したとき、詳細をポップアップ表示する。例えば、予定画像要素がマウスオーバーされた場合、詳細表示部３７０は、予定の内容、時間、及び、重要度等をポップアップ表示する。現在時刻を表示するガイドがマウスオーバーされた場合、詳細表示部３７０は、現在時刻を数字により、ポップアップ表示する。詳細表示部３７０は、現在作業中のアプリケーションがある場合、その前面、又は、最全面に、ポップアップ表示する。ここで、アプリケーションとは、ソフトウェア等を含む概念である。
【００３０】
図４は、従来技術における予定管理アプリケーションの起動を模式的に説明する図である。
図４に示すように、予定表示端末３は、モニター画面領域１０１に、複数のアプリケーション起動のショートカットアイコン１０２（アイコン１０２）を表示する。アイコン１０２は、予定を表示する予定管理アプリケーションのアイコンを含む。アイコン１０２は、利用者のクリックにより起動する仕組みになっている。
これにより、従来技術において、利用者が予定を確認するまでに、アイコンをクリックし、アプリケーションが起動して予定が表示されるのを待ち、予定の内容を確認し、作業に戻るためにアプリケーションを閉じるという４つのステップが必要であり、これにより、時間を消費していた。また、従来技術においては、ユーザの早く予定を確認したいという欲求を満たすことができていなかった。
【００３１】
図５は、従来技術における予定表示を模式的に説明する図である。
図５に示すように、予定表示端末３は、モニター画面領域１０１に、ユーザのクリックにより起動した従来の予定管理アプリケーション１０３、及び、現在作業中のアプリケーション１０４を表示する。本例において、現在作業中のアプリケーション１０４の起動中に、利用者におけるアイコン１０２のクリックにより、従来の予定管理アプリケーション１０３が立ち上がる。このとき、従来の予定管理アプリケーション１０３は、モニター画面領域１０１の全画面、又は、大部分を表示領域として使用する。このため、現在作業中のアプリケーション１０４の表示上に、従来の予定管理アプリケーション１０３が重なる。
これにより、利用者は、現在進行していた作業を中断させる必要があった。また、利用者は、進行していた作業に戻るためには、従来の予定管理アプリケーション１０３を閉じるというアクションが必要となり、素早く作業に戻りたいという欲求を満たすことができていなかった。
【００３２】
図６は、本実施形態における予定表示を模式的に説明する図である。
図６に示すように、表示部３５６が表示する画面は、モニター画面領域１０１、及び、予定管理アプリケーション表示領域１０５を有する。本例において、予定管理アプリケーション表示領域１０５は、位置決定部３５８が予定画像要素の表示位置を決定する外縁表示領域の左端に位置する。表示部３５６は、予定管理アプリケーション表示領域１０５内に、予定を示唆する予定表示領域１１１を表示する。ここで、予定表示領域１１１は予定画像要素である。本例において、予定表示領域１１１は、細長い長方形の領域である。また、予定取得部３５４は、グーグルカレンダー、又は、他カレンダーアプリケーションの最新の予定情報を取得し連携し、表示部３５４は、常に最新の予定表示領域１１１を色分けして表示する。また、表示部３５４は、隣接する予定表示領域１１１と予定表示領域１１１とが同色でも、予定の切り替わりが分かるように、隙間を空けて、予定表示領域１１１を表示する。また、モニター画面領域１０１の上端から下端までの縦幅を２４時間として、表示部３５６は、予定表示領域１１１を表示する。また、現在時間表示部３６６は、現在時間を示すマーク又はラインによるガイド１０６を、予定管理アプリケーション表示領域１０５に隣接して表示する。現在時間を示すマーク又はラインによるガイド１０６は、時間に応じて移動する。
これにより、従来技術における利用者が予定を確認するまでに、クリックし、アプリケーションが起動して予定が表示されるのを待つ等のステップが必要なくなる。また、利用者は、視覚的に現在時間が分かり、次の作業開始までにどれくらいの時間があるか直感的に分かる。
【００３３】
図７は、本実施形態における他ウィンドウ表示中の予定表示を模式的に説明する図である。
図７に示すように、本実施形態において、表示部３５６は、予定管理アプリケーション１０５内に、予定表示領域１１１を表示する。また、予定表示端末３は、モニター画面領域１０１内に現在作業中のアプリケーション１０４を表示する。また、現在作業中のアプリケーション１０４が全画面表示されても、予定表示領域１１１は、現在作業中のアプリケーション１０４と重ならない。なお、表示部３５６が、予定表示領域１１１を常に最前面に表示することにより、予定表示領域１１１は、現在作業中のアプリケーション１０４と重ならないとしてもよい。
これにより、利用者は、作業を中断することなく予定を確認することができる。
【００３４】
図８は、本実施形態におけるポップアップ表示を模式的に説明する図である。
図８に示すように、予定管理アプリケーション表示領域１０５が、利用者によりマウスオーバーされたとき、詳細表示部３７０は、予定詳細表示領域１０７に予定をポップアップして表示する。具体的に、利用者によりユーザの予定表示領域１１１が、マウス等によるポインタと重なったとき、詳細表示部３７０は、予定詳細表示領域１０７に、対応する予定の内容、時間、及び、重要度等を表示する。また、マウス等によるポインタが、予定表示領域１１１から外れると、詳細表示部３７０は、予定詳細表示領域１０７をポップダウンさせる。
【００３５】
図９は、本実施形態における他ウィンドウ表示中のポップアップ表示を模式的に説明する図である。
図９に示すように、詳細表示部３７０により予定詳細表示領域１０７がポップアップされた時、予定詳細表示領域１０７は、現在作業中のアプリケーション１０４、及び、従来の予定管理アプリケーション１０３のウインドウより前面又は最前面に表示される。
これにより、利用者は、知りたい予定の時間、及び、内容等をすぐに知ることができる。また、予定管理アプリケーション表示領域１０５に、既に、予定表示領域１１１が表示されているため、利用者は、従来技術において予定管理アプリケーションを起動させていた時間を節約できる。さらに、ポインタが、予定表示領域１１１から外れることにより、予定詳細表示領域１０７はポップダウンするので、利用者は、素早く作業に戻れる。
【００３６】
図１０は、本実施形態における予定管理アプリケーション表示領域を模式的に説明する図である。
図１０に示すように、表示部３５６が表示する予定管理アプリケーション表示領域は、上端、下端、左端、及び、右端のうち、いずれにあってもよい。このとき、左端にある予定管理アプリケーション表示領域１０５、及び、右端にある予定管理アプリケーション表示領域１１０において、上端から下端、又は、下端から上端までの縦幅を２４時間とする。また、上端にある予定管理アプリケーション表示領域１０８、及び、下端にある予定管理アプリケーション表示領域１０９において、右端から左端、又は、左端から右端までの縦幅を２４時間とする。
なお、表示部３５６は、上端、下端、左端、及び、右端のうち、少なくとも一端の全部又は一部を使用して予定を表示してもよい。例えば、左端及び上端の全部を、使用して予定を表示してよもよい。具体的に、左端にある予定管理アプリケーション表示領域１０５の下端から、上端にある予定管理アプリケーション表示領域１０８の右端までを２４時間として、使用してもよい。
これにより、利用者は、好みや作業性に応じて、予定管理アプリケーション表示領域を配置することができる。また、上端、下端、左端、又は、右端のいずれかに位置する細長い予定管理アプリケーション表示領域に、細長い予定表示領域１１１を表示するため、利用者の作業を邪魔しない。このため、利用者は作業に集中できる。
【００３７】
図１１は、予定表示処理（Ｓ５０）を説明するフローチャートである。
図１１に例示するように、ステップ５００（Ｓ５００）において、予定取得部３５４は、予定管理サーバ４により管理されている予定情報を取得する。
【００３８】
ステップ５０５（Ｓ５０５）において、予定取得部３５４は、予定情報の取得が完了しない場合（Ｓ５０５：Ｎｏ）、予定情報を取得するまで待機し、予定情報の取得が完了した場合（Ｓ５０５：Ｙｅｓ）、Ｓ５１０の処理に移行する。
【００３９】
ステップ５１０（Ｓ５１０）において、位置決定部３５８は、利用者の選択に基づき、予定管理アプリケーション表示領域１０５、１０８、１０９、及び１１０のうちいずれかの領域を決定する。本例において、位置決定部３５８は、左端にある予定管理アプリケーション表示領域１０５に、表示位置を決定する。さらに、位置決定部３５８は、予定管理アプリケーション表示領域１０５の端から端までを２４時間として、予定の時間に応じて、予定表示領域１１１の表示位置を決定する。
【００４０】
ステップ５１５（Ｓ５１５）において、予定取得部３５４から取得した予定情報に基づき、長さ決定部３６０は、予定の時間に応じて変わる予定表示領域１１１の長辺の長さを決定する。また、長さ決定部３６０は、利用者の選択に応じて、予定表示領域１１１１の短辺の長さを、１０ピクセル以内の範囲で、決定する。
【００４１】
ステップ５２０（Ｓ５２０）において、予定取得部３５４から取得した予定情報に基づき、色決定部３６２は、予定の内容に応じて、かつ、予定管理アプリケーション領域１０５と異なる色から、予定表示領域１１１の色を決定する
【００４２】
ステップ５２５（Ｓ５２５）において、ピクセル予定表示部３６４は、位置決定部３５８により決定された位置、長さ決定部３６０により決定された長方形の長辺、及び、短辺の長さ、及び、色決定部３６２により決定された長方形の色に基づき、予定表示領域１１１を表示する。
【００４３】
図１２は、時刻表示処理（Ｓ６０）を説明するフローチャートである。
図１２に例示するように、ステップ６００（Ｓ６００）において、予定表示プログラム３５０は、現在時刻を取得する。
【００４４】
ステップ６０５（Ｓ６０５）において、予定表示プログラム３５０は、現在時刻の取得が完了しない場合（Ｓ６０５：Ｎｏ）、現在時刻を取得するまで待機し、現在時刻の取得が完了した場合（Ｓ６０５：Ｙｅｓ）、Ｓ５１０の処理に移行する。
【００４５】
ステップ６１０（Ｓ６１０）において、位置決定部３５８は、画面表示領域の左端の端から端までを２４時間としたときに、予定表示プログラム３５０により取得された現在時刻に基づき、現在時刻を表示するガイド１０６の位置を決定する。
【００４６】
ステップ６１５（Ｓ６１５）において、現在時刻表示部３５４は、位置決定部３５８により決定された位置に基づき、現在時刻を表示するガイド１０６を表示する。ガイド１０６は、時刻に応じて移動する。
【００４７】
以上説明したように、表示部３５６は、予定管理アプリケーション表示領域１０５に、文字を必要とせずに、予定を示唆する画像要素である予定表示領域１１１を表示できる。また、予定取得部３５４は、グーグルカレンダー、又は、他カレンダーアプリケーション等の最新の情報を取得するので、利用者は、日本語、英語に関わらず世界中の各言語で直感的に、予定を利用することができる。さらに、表示部３５６は、予定表示領域１１１を、モニター画面領域１０１の左端等に表示するため、利用者は、作業の邪魔をされず、作業に集中できる。
本発明において、例示的な実施形態の前述の説明は、例示および説明のために提供され、発明の範囲を、網羅しているわけではなく、開示される発明に限定することを意図していない。明らかに、多くの修正および変更が可能であることは、当業者にとって明らかである。実施形態は、発明の原理及びその実際の適用を最適に説明するために、選択され、記載された。それによって、当業者が、考慮される特定の用途に適するように、様々な実施形態および変形例について、本発明を理解することができる。本発明の範囲は、以下の特許請求の範囲およびその均等の範囲によって定義される。
【産業上の利用可能性】
【００４８】
予定管理アプリケーションに適用できる。
【符号の説明】
【００４９】
１…予定表示システム
３…予定表示端末
４…予定管理サーバ
１０１…モニター画面領域
１０２…アプリケーション起動のショートカットアイコン
１０３…従来の予定管理アプリケーション
１０４…現在作業中のアプリケーション
１０５…左端における予定管理アプリケーション表示領域
１０６…現在時刻を示すマーク又はラインによるガイド
１０７…ポップアップした予定詳細表示領域
１０８…上端における予定管理アプリケーション表示領域
１０９…下端における予定管理アプリケーション表示領域
１１０…右端における予定管理アプリケーション表示領域
１１１…予定表示領域
３００…ＣＰＵ
３０２…メモリ
３０４…ＨＤＤ
３０６…ネットワークＩＦ
３０８…表示装置
３１０…入力装置
３１２…バス
３５２…入力受付部
３５４…予定取得部
３５６…表示部
３５８…位置決定部
３６０…長さ決定部
３６２…色決定部
３６４…ピクセル予定表示部
３６６…現在時刻表示部
３６８…ポインタ検知部
３７０…詳細表示部
【図１】
2016125831.tif 000003
【図２】
2016125831.tif 000004
【図３】
2016125831.tif 000005
【図４】
2016125831.tif 000006
【図５】
2016125831.tif 000007
【図６】
2016125831.tif 000008
【図７】
2016125831.tif 000009
【図８】
2016125831.tif 000010
【図９】
2016125831.tif 000011
【図１０】
2016125831.tif 000012
【図１１】
2016125831.tif 000013
【図１２】
2016125831.tif 000014
【国際調査報告】
2016125831.tif 000015
2016125831.tif 000016